(57)【要約】【課題】  視聴者の放送番組に対する視聴時間や視聴回数に応じて、ポイントや特典を、視聴者へ適切なタイミングで付与する放送番組の視聴者向けポイント付与システムに関する。【解決手段】  視聴者が放送番組の視聴に用いる利用者装置１００は、放送事業者が放送する放送番組を特定する放送信号を含んだ放送番組データを受信して該データを再生する。利用者装置１００は、この再生された放送番組データから視聴した番組の識別子を特定する放送信号を検出し、ネットワークを介して視聴記録に応じて視聴者にポイントを付与するポイントサーバ３００にユーザ識別子とともに送信する。ポイントサーバ３００はこれを受けて視聴者にポイントを付与する。【選択図】図１
2015065545.tif 000002
【特許請求の範囲】
【請求項１】
放送番組を特定する放送信号が含まれた放送番組データを受信する利用者装置と、放送番組の視聴記録に応じて視聴者にポイントを付与するポイントサーバと、がネットワークで接続されて構成される放送番組ポイント付与システムであって、
前記利用者装置は、
ポイントサーバとの間で情報を送受信する通信手段と、
受信した前記放送番組データを再生する番組再生手段と、
再生された放送番組の音声を集音するマイクロフォンをアクセスするマイクデバイスアクセス手段と、
集音した音声データから前記放送信号を検出して視聴した番組の識別子を特定する第１の放送信号検出手段と、を備える装置であって、
前記ポイントサーバは、
利用者装置との間で情報を送受信する通信手段と、
ネットワークを通じて前記利用者装置から受信した番組の識別子から所定のポイントを付与して記憶するとともにその情報を前記利用者装置に通知する制御手段と、を備える装置であって、これらで構成されることを特徴とする放送番組ポイント付与システム。
【請求項２】
前記利用者装置は、
放送信号が含まれた放送番組データを受信する番組受信手段と、
受信した放送番組データをメモリに保存するメモリ保存手段と、を備える装置であって、これらで構成されることを特徴とする請求項１に記載の放送番組ポイント付与システム。
【請求項３】
前記利用者装置は、
前記マイクデバイスアクセス手段と、集音した放送番組データの音声データから前記放送信号を検出して視聴した番組の識別子を特定する第１の放送信号検出手段のかわりに、放送番組データが保存された前記メモリをアクセスするメモリデバイスアクセス手段と、
メモリに保存された放送番組データから前記放送信号を検出して視聴した番組の識別子を特定する第２の放送信号検出手段と、を備えることを特徴とする、請求項１または請求項２に記載の放送番組ポイント付与システム。
【請求項４】
前記放送番組ポイント付与システムは、
視聴者の識別子と視聴した番組の識別子から関係するポイントサーバを特定する識別子変換サーバをさらに備え、
前記識別子変換サーバは、
利用者装置とポイントサーバの間で情報を送受信する通信手段と、
利用者装置から番組の識別子と視聴者の識別子を受信して所定のポイントサーバを特定して番組の識別子と視聴者の識別子を送信する制御手段と、を備える装置であって、これらで構成されることを特徴とする、請求項１から請求項３のいずれかに記載の放送番組ポイント付与システム。
【請求項５】
前記放送番組ポイント付与システムは、
前記ポイントサーバからの番組の識別子および時刻を含んだ問合せに応じて番組終了時刻を前記ポイントサーバに返す関連情報サーバをさらに備えることを特徴とする、請求項１から請求項４のいずれか一項に記載の放送番組ポイント付与システム。
【請求項６】
放送番組を特定する放送信号が含まれた放送番組データを受信する利用者装置であって、
前記利用者装置は、
ネットワークを介してポイントサーバとの間で情報を送受信する通信手段と、
受信した前記放送番組データを再生する番組再生手段と、
再生された放送番組データの音声データを集音するマイクロフォンをアクセスするマイクデバイスアクセス手段と、
集音した放送番組データから前記放送信号を検出して視聴した番組の識別子を特定する第１の放送信号検出手段と、を備えることを特徴とする、利用者装置。
【請求項７】
前記利用者装置は、
放送信号が含まれた放送番組データを受信する番組受信手段と、
受信した放送番組データをメモリに保存するメモリ保存手段と、を備えることを特徴とする、請求項６に記載の利用者装置。
【請求項８】
前記利用者装置は、
前記マイクデバイスアクセス手段と、集音した放送番組データから前記放送信号を検出して視聴した番組の識別子を特定する第１の放送信号検出手段のかわりに、放送番組データが保存された前記メモリをアクセスするメモリデバイスアクセス手段と、
メモリに保存された放送番組データから前記放送信号を検出して視聴した番組の識別子を特定する第２の放送信号検出手段と、を備えることを特徴とする、請求項６または請求項７に記載の利用者装置。
【請求項９】
視聴者が使用するコンピュータ機器を、請求項６から請求項８のいずれかに記載の放送番組ポイント付与システムに用いられる利用者装置として動作させる命令を記述したコンピュータプログラム。
【発明の詳細な説明】
【技術分野】
【０００１】
本発明は、視聴者の放送番組に対する視聴時間や視聴回数に応じ、ポイントや特典（懸賞への参加権利など）を、視聴者へ適切なタイミングで付与する方法およびシステムに関する。
【背景技術】
【０００２】
従前より、一般的な店舗における商取引において、顧客の再来店の促進や購入額を加増させる目的で、顧客に対して商品の購入額や来店頻度に応じたポイントの付与や特典の提供が行われている。例えば、顧客に一定の商品購入額毎にポイントを付与し、ある程度ポイントが貯まった時点で所定の値引きを行ったり、月間の商品購入の合計金額が所定の金額を超えた場合、その顧客に対して、次月は付与するポイントを２倍にしたりする方法などが挙げられる。
【０００３】
このような、ポイントの付与や特典の提供は、一般的な店舗での物品の商取引に限らずさまざまなサービスにおいてなされている。典型的な例として、新聞の購読や雑誌の定期購読予約などにおける様々な特典の供与はよく知られている。また、これらの媒体が電子媒体のような無形物となっても同様に相応の特典が供与される。映画やコンサートなどのイベントにおけるファンサービスにおいても同様で、顧客が所望する購入物が有形か無形かを問わずポイントの付与が行われ、得られる特典も、景品やキャラクターグッズなどの有形物であったり、出演俳優と握手する権利や写真撮影を行える等の無形物であったりすることもある。さらに、顧客が何かを購入したかどうかではなく、何らかの情報提供や動作と引き換えにポイントの付与が行われることもある。
【０００４】
これらの事例からも伺えるように、放送メディアからの放送を視聴する視聴者に対してもポイントの付与や特典の提供が行われることがある。例えば音楽ソフト制作会社や映像ソフト制作会社あるいは芸能プロダクションが、放送メディアから有償で視聴者の嗜好や視聴率、好感度などの情報を取得するような場合において、放送メディアが視聴者から情報を取得し、それと引き換えに視聴者に特典を供与する（放送メディアはここで得られた情報を依頼者に提供する）といった形態が考えられる。特許文献１では、視聴者がメディア番組を視聴することにより得られた情報を収集し、収集した情報に応じて視聴者にポイントを付与する情報サービスシステムが示されている。
【先行技術文献】
【特許文献】
【０００５】
【特許文献１】特開２００２−２６９４５７号公報
【特許文献２】特許第４９１０９５９号公報
【特許文献３】特許第５０１１８４９号公報
【特許文献４】特許第５０１１８５５号公報
【特許文献５】特許第５０１１８６５号公報
【特許文献６】特許第５０１１８７２号公報
【特許文献７】特許第４８３１３３３号公報
【特許文献８】特許第４８３１３３４号公報
【特許文献９】特許第４８３１３３５号公報
【特許文献１０】特許第４７６０５３９号公報
【特許文献１１】特許第４７６０５４０号公報
【非特許文献】
【０００６】
【非特許文献１】ＭｕｓｉｃＩＤ、［ＯＮＬＩＮＥ］［平成２５年９月１７日検索］、インターネット＜ＵＲＬ：ｈｔｔｐ：／／ｗｗｗ．ｇｒａｃｅｎｏｔｅ．ｃｏｍ／ｍｕｓｉｃ／ｒｅｃｏｇｎｉｔｉｏｎ／＞
【発明の概要】
【発明が解決しようとする課題】
【０００７】
しかしながら、特許文献１に開示された方法においては、視聴者がメディア番組を視聴した結果として生成される個人別視聴結果情報を収集するためにテレビ受像機に専用通信端末からなる情報提供端末を設置するか、パソコンにチューナを接続してパソコン画面またはテレビ受像機でテレビ番組を視聴する必要があった。このようにしてパソコンや情報提供端末を用いて、得られた個人別視聴結果情報をネットワーク上の所定の装置に送信し蓄積することにより視聴者の情報を入手するのだが、これではテレビ受像機１台について１台のパソコンや情報提供端末が必要となるため、設置者側の投資負担が大きく、視聴者にとっても無用なハードウェアの存在が煩わしいといった問題があった。
【０００８】
本発明は、以上の点を解決するためになされたもので、本発明の課題は、放送事業者が放送した番組を視聴者が視聴した結果として、ポイントの付与や特典の提供が行われるものであって、視聴者は放送番組を受信し表示する利用者装置以外に特別な装置を必要としないポイントの付与システムを提供することである。
【課題を解決するための手段】
【０００９】
前記課題を解決するための、本願の第１の発明は、放送番組を特定する放送信号が含まれた放送番組データを受信する利用者装置と、放送番組の視聴記録に応じて視聴者にポイントを付与するポイントサーバと、がネットワークで接続されて構成される放送番組ポイント付与システムであって、前記利用者装置は、ポイントサーバとの間で情報を送受信する通信手段と、受信した前記放送番組データを再生する番組再生手段と、再生された放送番組の音声を集音するマイクロフォンをアクセスするマイクデバイスアクセス手段と、集音した音声データから前記放送信号を検出して視聴した番組の識別子を特定する第１の放送信号検出手段と、を備える装置であって、前記ポイントサーバは、利用者装置との間で情報を送受信する通信手段と、ネットワークを通じて前記利用者装置から受信した番組の識別子から所定のポイントを付与して記憶するとともにその情報を前記利用者装置に通知する制御手段と、を備える装置であって、これらで構成されることを特徴とする放送番組ポイント付与システムである。これによって、視聴者は日常使用している受信機と利用者装置を利用して、放送番組を視聴した時間や内容に応じてポイントを取得することができる。前記放送番組を特定する放送信号が含まれた放送番組データとは、放送番組を特定する放送信号として再生されるデータを含んだデータである。
【００１０】
第２の発明は、前記利用者装置は、放送信号が含まれた放送番組データを受信する番組受信手段と、受信した放送番組データをメモリに保存するメモリ保存手段と、を備える装置であって、これらで構成されることを特徴とする第１の発明に記載の放送番組ポイント付与システムである。これによって、視聴者は利用者装置以外の装置を作動させることなく、放送番組を視聴した時間や内容に応じてポイントを取得することができる。
【００１１】
第３の発明は、前記利用者装置は、前記マイクデバイスアクセス手段と、集音した放送番組データの音声データから前記放送信号を検出して視聴した番組の識別子を特定する第１の放送信号検出手段のかわりに、放送番組データが保存された前記メモリをアクセスするメモリデバイスアクセス手段と、メモリに保存された放送番組データから前記放送信号を検出して視聴した番組の識別子を特定する第２の放送信号検出手段と、を備えることを特徴とする、第１または第２の発明に記載の放送番組ポイント付与システムである。これによって、より精度の良い放送信号の検出が期待できる。
【００１２】
第４の発明は、前記放送番組ポイント付与システムは、視聴者の識別子と視聴した番組の識別子から関係するポイントサーバを特定する識別子変換サーバをさらに備え、前記識別子変換サーバは、利用者装置とポイントサーバの間で情報を送受信する通信手段と、利用者装置から番組の識別子と視聴者の識別子を受信して所定ポイントサーバを特定して番組の識別子と視聴者の識別子を送信する制御手段と、を備える装置であって、これらで構成されることを特徴とする、第１から第３のいずれかの発明に記載の放送番組ポイント付与システムである。これによって、視聴者は複数のポイントサーバからのサービスを受けられることができるようになり、より多くの放送番組配信事業者からポイントを取得することができる。
【００１３】
第５の発明は、前記放送番組ポイント付与システムは、前記ポイントサーバからの番組の識別子および時刻を含んだ問合せに応じて該番組終了時刻を前記ポイントサーバに返す関連情報サーバをさらに備えることを特徴とする、第１から第４のいずれかの発明に記載の放送番組ポイント付与システムである。これによって、当該番組の識別子の取得時間にどの番組が放送されていたかが判り、更に詳細なポイントの付与が可能になる。
【００１４】
第６の発明は、放送番組を特定する放送信号が含まれた放送番組データを受信する利用者装置であって、前記利用者装置はネットワークを介してポイントサーバとの間で情報を送受信する通信手段と、受信した前記放送番組データを再生する番組再生手段と、再生された放送番組の音声を集音するマイクロフォンをアクセスするマイクデバイスアクセス手段と、集音した音声データから前記放送信号を検出して視聴した番組の識別子を特定する第１の放送信号検出手段と、を備えることを特徴とする、利用者装置である。これは第１の発明における利用者装置について独立して記載したものである。
【００１５】
第７の発明は、前記利用者装置は、放送信号が含まれた放送番組データを受信する番組受信手段と、受信した放送番組データをメモリに保存するメモリ保存手段と、を備えることを特徴とする、第６の発明に記載の利用者装置である。これは第２の発明における利用者装置について記載したものである。
【００１６】
第８の発明は、前記利用者装置は、前記マイクデバイスアクセス手段と、集音した放送番組データから前記放送信号を検出して視聴した番組の識別子を特定する第１の放送信号検出手段のかわりに、放送番組データが保存された前記メモリをアクセスするメモリデバイスアクセス手段と、メモリに保存された放送番組データから前記放送信号を検出して視聴した番組の識別子を特定する第２の放送信号検出手段と、を備えることを特徴とする、第６または第７の発明に記載の利用者装置である。これは第６または第７の発明における利用者装置について別の実施形態を記載したものである。
【００１７】
第９の発明は、利用者が使用するコンピュータ機器を、第６から第８のいずれかの発明に記載の放送番組ポイント付与システムに用いられる利用者装置として動作させる命令を記述したコンピュータプログラムである。これは放送番組ポイント付与システムを構成する利用者装置のコンピュータプログラムについて独立して記載したものである。
【発明の効果】
【００１８】
本発明によれば、視聴者が所持する携帯電話など、放送事業者が配信する放送番組を受信し表示する利用者装置（例えばスマートフォンなどの視聴者端末）を用いて放送番組を視聴するだけで、利用者装置を所持する視聴者に対して、視聴時間や番組に応じたポイントや特典を付与することができる。
【図面の簡単な説明】
【００１９】
【図１】本実施形態のシステムの全体構成を示す図である。
【図２】本実施形態における各装置をより詳しく説明する機能ブロック図である。
【図３】本実施形態における利用者装置１００のハードウェア構成を示す図である  。
【図４】本実施形態における放送番組中の放送信号を説明する図である。
【図５】本実施形態におけるポイント付与方法を説明する図である。
【図６】本実施形態における検出アプリのダウンロードとユーザ登録に係る処理の  流れを説明するフローチャートである。
【図７】本実施形態におけるポイント付与方法１に係る処理の流れを説明するブロ  ック図である。
【図８】本実施形態におけるポイント付与方法１の別の形態に係る処理の流れを説  明するブロック図である。
【図９】本実施形態におけるポイント付与方法２に係る処理の流れを説明するブロ  ック図である。
【図１０】本実施形態におけるポイント付与方法３に係る処理の流れを説明するブ  ロック図である。
【図１１】本実施形態の一つの例における利用者装置とアプリケーションの動作の  流れを説明する図である。
【図１２】本実施形態の一つの例における利用者装置とＩＰサイマル再生アプリの  処理の流れを説明するブロック図である。
【図１３】本実施形態の一つの例における利用者装置と放送番組ＩＤ検出アプリの  処理の流れを説明するブロック図である。
【図１４】本実施形態のもう一つの例における利用者装置とアプリケーションの動  作の流れを説明する図である。
【図１５】本実施形態のもう一つの例における利用者装置とアプリケーションの処  理の流れを説明するブロック図である。
【図１６】本実施形態のもう一つの例における利用者装置ともう一つのアプリケー  ションの処理の流れを説明するブロック図である。
【発明を実施するための形態】
【００２０】
以下に、本発明の一つの実施形態に係るシステムの構成について図面を参照してさらに詳細に説明する。
【００２１】
本実施形態において、利用者装置を用いて放送番組を視聴するとポイントが付与されるがこのポイントの付与については放送番組中に含まれる放送信号と呼ばれる信号を検出することによって行われる。この放送信号の検出にはフィンガープリント法または音声透かし法が用いられる（詳細は後述する）。また、一つの放送番組中に、複数の異なった放送信号が含まれる場合がある。
【００２２】
図１は、本実施形態の放送番組ポイント付与システムの全体構成を示す図である。視聴者は、利用者装置１００を用いて、テレビ局２１０やラジオ局２２０などの放送事業者が放送する放送番組を、放送局の電波塔２００からの電波を受信する、あるいはＯＴＴ（Ｏｖｅｒ  Ｔｈｅ  Ｔｏｐ）事業者やＶｏｄ（Ｖｉｄｅｏ  ｏｎ  ｄｅｍａｎｄ）事業者２３０から映像や音声データを、またＩＰサイマル事業者２４０からの放送番組をインターネットなどのネットワーク経由で受信して視聴することができる。更に、利用者装置１００は利用者装置１００で用いるアプリケーションを配信するアプリ配信サーバ５００、受信した番組ＩＤとユーザＩＤから関係する所定のポイントサーバに情報を引き渡す識別子変換サーバ４００（以降、ＩＤ変換サーバ４００と称す）、登録会員のポイント管理を行うポイントサーバ３００、番組表などの放送番組に関する情報を蓄積する関連情報サーバ６００などの装置とインターネットなどのネットワークを介して情報の送受信を行うことができる。また、利用者装置１００はテレビやラジオなどの受信機２５０が受信した放送事業者が放送する放送番組の音声および、インターネットに接続できるテレビ２７０またはＰＣ２６０が受信したＯＴＴ／Ｖｏｄ事業者２３０およびＩＰサイマル事業者２４０からの放送番組の音声を集音することができる。
【００２３】
図２は、本実施形態の全体構成についてより詳しく説明する機能ブロック図である。利用者装置１００は、ネットワーク８００を介してアプリ配信サーバ５００とＩＤ変換サーバ４００との間で情報の送受信を行う。ネットワーク８００は簡略化されて表示しているが、例えばインターネットのようなゲートウェイを介した複数のネットワークの組合せであり、ＬＡＮ（Ｌｏｃａｌ  Ａｒｅａ  Ｎｅｔｗｏｒｋ）、電話回線、移動体通信網等から構成され、複数のアクセスポイントを備え、利用者装置１００とＩＤ変換サーバ４００、ポイントサーバ３００、関連情報サーバ６００およびアプリ配信サーバ５００の間で有線または無線を用いて情報の送受信を可能とするためのものである。
【００２４】
ポイントサーバ３００およびアプリ配信サーバ５００は、ＨＴＴＰ（ＨｙｐｅｒＴｅｘｔ  Ｔｒａｎｓｆｅｒ  Ｐｒｏｔｏｃｏｌ）サーバとして機能する。利用者装置１００は、ＨＴＭＬ文書の表示や返信が行えるウェブブラウザを備えており、アプリ配信サーバ５００との間でインターネットなどのネットワークを介し、ＷＷＷ（Ｗｏｒｌｄ  Ｗｉｄｅ  Ｗｅｂ）を用いてアプリ配信サーバ５００上に存在するウェブページを通じ、アプリ配信サーバ５００のアプリデータベース（図上ではアプリＤＢと表示）からアプリケーションを取得する。アプリケーションを配信するサーバを持つサイトは良く知られており、例えば、スマートフォン向けのプラットフォームであるＡｎｄｒｏｉｄ（商標）におけるＧｏｏｇｌｅ  Ｐｌａｙ（商標）などが挙げられる。
【００２５】
利用者装置１００は、同装置で作動するコンピュータプログラム（アプリケーションプログラム）である番組再生アプリ１２０と放送番組ＩＤ検出アプリ１４０、およびＲＡＭ（（Ｒａｎｄａｍ  Ａｃｃｅｓｓ  Ｍｅｍｏｒｙ）１３０を備える。前記番組再生アプリ１２０は、機能ごとにまとまったプログラムコードの集りであって、利用者装置１００上で起動されると利用者装置１００に備えられたハードウェア資源を制御させることにより、テレビ局やラジオ局、ＯＴＴ事業者やＶｏｄ事業者２３０およびＩＰサイマル事業者２４０から放送番組のデジタルデータ（音声データと画像データ）を受信する番組受信機能、受信した放送番組のデジタルデータをＲＡＭに保存するメモリ保存機能およびＲＡＭに保存した放送番組のデジタルデータを再生する（利用者装置１００のディスプレイやスピーカーから表出する）番組再生機能を発揮する。そこで以下では、番組再生アプリ１２０を備えた利用者装置１００には、前記番組受信機能を実現する番組受信手段１２１、前記メモリ保存機能を実現するメモリ保存手段１２２、前記番組再生機能を実現する番組再生手段１２３が備えられているものとして記載する。
【００２６】
また、前記放送番組ＩＤ検出アプリ１４０は、機能ごとにまとまったプログラムコードの集りであって、利用者装置１００上で起動されると利用者装置１００に備えられたハードウェア資源を制御させることにより、ＩＤ変換サーバ４００およびポイントサーバ３００との間で情報の送受信を行う通信機能、ＯＳが制御しているマイクロフォン１１２やＲＡＭ１３０にアクセスするデバイスアクセス機能、放送番組のデジタルデータから放送信号を検出する放送信号検出機能、検出した放送信号についてＩＤ変換サーバ４００に問い合わせを行うＩＤ変換サーバ問合せ機能を発揮する。そこで以下では、放送番組ＩＤ検出アプリ１４０を備えた利用者装置１００には、前記通信機能を実現する通信手段１４１、前記デバイスアクセス機能を実現するデバイスアクセス手段１４２、前記放送信号検出機能を実現する放送信号検出手段１４３、ＩＤ変換サーバ問合せ機能を実現するＩＤ変換サーバ問合せ手段１４４が備えられているものとして記載する。ここで、デバイスアクセス手段１４２はアクセスするデバイスの種類により、マイクデバイスアクセス手段１４２ａとメモリデバイスアクセス手段１４２ｂの２つが存在する。また、放送信号検出手段１４３についても処理する入力データの種類により、集音した放送番組データを入力とする第１の放送信号検出手段１４３ａとメモリに保存された放送番組データを入力とする第２の放送信号検出手段１４３ｂの２つが存在する
【００２７】
ＩＤ変換サーバ４００およびポイントサーバ３００は、利用者装置１００との間で情報の送受信を行う通信手段とそれぞれの通信内容に従ってそれぞれのデータベースを検索更新する制御手段を備える。また関連情報サーバ６００は、ポイントサーバ３００との間で情報の送受信を行う通信手段とポイントサーバ３００からの問合せに応じて放送番組に関連した情報を提供する制御手段を備える。
【００２８】
図３は、利用者装置１００のハードウェア構成を示す図である。利用者装置１００はハードウェアとしては一つのコンピュータ機器である。利用者装置１００は、制御部１０１、記憶部１０２、周辺機器Ｉ／Ｆ部１０３、入力部１０４、表示部１０５、通信部１０６を備え、それらがバス１０９を介して接続される。尚、図４のハードウェア構成は一例であり、別途、目的に応じて様々な構成を採ることが可能である。
【００２９】
制御部１０１は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄａｍ Ａｃｃｅｓｓ Ｍｅｍｏｒｙ）等で構成される。ＣＰＵは、記憶部１０２、ＲＯＭ、記憶媒体等に格納されるプログラムをＲＡＭ上のワークメモリ領域に呼び出して実行し、バス１０９を介して接続された各装置を駆動制御し、コンピュータが行う処理を実現する。ＲＯＭは、不揮発性メモリであり、利用者装置１００のブートプログラムやＢＩＯＳ等のプログラム、データ等を恒久的に保持している。ＲＡＭは、揮発性メモリであり、記憶部１０２、ＲＯＭ、記憶媒体等からロードしたプログラム、データ等を一時的に保持するとともに、制御部１０１が各種処理を行う為に使用するワークエリアを備える。
【００３０】
記憶部１０２は、ＳＳＤ（Ｓｏｌｉｄ  Ｓｔａｔｅ  Ｄｒｉｖｅ）などのコンパクトな記憶媒体が好適に用いられ、制御部１０１が実行するプログラム、プログラム実行に必要なデータ、ＯＳ（オペレーティングシステム）等が格納される。プログラムに関しては、ＯＳ（オペレーティングシステム）に相当する制御プログラムや、先に述べた番組再生アプリ１２０として機能するプログラムコード、および放送番組ＩＤ検出アプリ１４０として機能するプログラムコードが格納されている。これらのプログラムコードは、制御部１０１により必要に応じて読み出されてＲＡＭに移され、ＣＰＵに読み出されて実行されることにより各種の手段として機能する。
【００３１】
周辺機器Ｉ／Ｆ部１０３は、利用者装置１００に周辺機器を接続させるためのポートであり、周辺機器Ｉ／Ｆ部１０３を介してコンピュータは、スピーカー／イヤホン端子１１１およびマイクロフォン１１２などの周辺機器とのデータの送受信を行う。
【００３２】
入力部１０４は、データの入力を行い、例えば、タッチパネル等の入力装置を有し、入力部１０４を介して、利用者装置１００に対して、操作指示、動作指示、データ入力等を行うことができる。表示部１０５は、液晶パネル等のディスプレイ装置である。
【００３３】
通信部１０６は、通信制御装置、通信ポート等を有し、一つは利用者装置１００とネットワーク８００間の通信を媒介する無線の通信インタフェースであり、ネットワーク８００を介して、他のコンピュータ特にＩＤ変換サーバ４００との通信制御を行う通信手段を備える。通信部１０６は例えば，３Ｇ（第３世代移動通信システム）、ＬＴＥ（Ｌｏｎｇ  Ｔｅｒｍ  Ｅｖｏｌｕｔｉｏｎ）、ＩＥＥＥ８０２．１１、などの通信方式（プロトコル）をサポートする。また、バス１０９は、各装置間の制御信号、データ信号等の授受を媒介する経路である。
【００３４】
特に図示はしないが、ポイントサーバ３００、ＩＤ変換サーバ４００、アプリ配信サーバ５００および関連情報サーバ６００についても利用者装置１００に準じたハードウェアの構成をしており、表示部と記憶部とタッチパネルなどの入力部を備える。通信部は、通信制御装置、通信ポート等を有し、ネットワーク８００を介して、他のコンピュータとの通信制御を行う通信手段を備える。
【００３５】
図４は、本実施形態における放送番組中の放送信号を説明する図である。放送番組（放送事業者が放送する放送番組、ＯＴＴ／Ｖｏｄ事業者２３０が配信する映像や音声、ＩＰサイマル事業者２４０が提供する放送番組を含む、以降も同様とする）の中には、スポンサーのコマーシャルやジングルと呼ばれる番組の開始終了や合間、コールサインなど局名告知の際などに用いられる音楽や音声が必ず流される。先に述べた放送信号は、放送事業者によってこれらのコマーシャルやジングルの中に挿入される。例えば図４（ａ）において一つの番組の開始から終了までの間の番組中におけるコマーシャルやジングルの放送時間帯（この図ではａの時間帯）が放送信号の置かれる対象期間となる。また、図４（ｂ）では、一連の番組放送の流れの中で放送信号が置かれる可能性がある放送信号検出点を下向きの矢印で示している。本実施形態ではこれらの時間帯における放送信号の検出によって視聴者にポイントを付与する。
【００３６】
図５は、本実施形態におけるポイントの付与方法を説明する図である。図５（ａ）は、一つの番組中に挿入されている放送信号のいずれか一つでも検出した場合、この番組を視聴したとして所定のポイントを付与する説明図である。放送番組中の放送信号検出点ｂ（下向きの矢印で示した部分）において放送信号をどれか一つでも検出した場合、ポイントが付与される。このポイント付与方法をここではポイント付与方法１と称す。
【００３７】
図５（ｂ）は、番組中に挿入されている放送信号を検出している時間によって所定のポイントを付与する場合の説明図である。例えば放送番組中の放送信号検出点ｂ１から番組終了時の放送信号検出点ｂ４までの放送信号を全て検出した場合においては、放送信号検出点ｂ２から番組終了ｂ４までの放送信号を検出した場合より視聴時間が長いと判断し、前者により大きなポイントを付与する。このポイント付与方法をここではポイント付与方法２と称す。
【００３８】
図５（ｃ）は、番組中に挿入されている放送信号の種類によって所定のポイントを付与する場合の説明図である。例えば放送番組中の放送信号検出点がｂ１、ｂ２、ｂ３、ｂ４とある場合、ｂ２における放送信号を検出したとき、他の検出点で放送信号を検出したときより大きなポイントが付与されるようにしてもよい。また、他の放送信号検出点には放送信号が含まれないようにしてもよい。このポイント付与方法をここではポイント付与方法３と称す。
【００３９】
図５（ｄ）は、ある一定の期間中（例えば一日の間）に検出した放送信号の回数によって所定のポイントを付与する場合の説明図である。この場合、番組をまたがった期間を設定してもよいし、例えばあるコマーシャルに特定の放送信号を割り当てて、視聴回数をカウントするようにしてもよい。このポイント付与方法をここではポイント付与方法４と称す。
【００４０】
次に、本実施形態の処理の流れについて、それぞれの装置の機能を含めて図を用いて詳細に説明する。
【００４１】
図６は、本実施形態における検出アプリのダウンロードとユーザ登録に係る処理の流れを説明するブロック図である。この処理は本実施形態を利用するに当たって必ず一回は行われる。先ず、視聴者は利用者装置１００に備わっているウェブブラウザを用いて、インターネットなどのネットワークを介し、ウェブページを通じてアプリ配信サーバ５００に放送信号を検出して放送信号の識別子を検出するアプリケーション（以降、放送番組ＩＤ検出アプリと称す）の取得を要求する（Ｓ１１）。アプリ配信サーバ５００はこの要求を受けて利用者装置１００に放送番組ＩＤ検出アプリ１４０を配信する（Ｓ１２）。視聴者はまた、利用者装置１００に備わっているウェブブラウザを用いて、ポイント取得のためにポイントサーバ３００に対し所定のユーザ情報を送信してユーザ登録を要請する（Ｓ１３）。ポイントサーバ３００はこの要請を受け登録処理を行い（Ｓ１４）、登録に当たって発行されるユーザ識別子（以降、ユーザＩＤと称す）を利用者装置１００に通知する（Ｓ１５）。
【００４２】
図７は、本実施形態におけるポイント付与方法１に係る処理の流れを説明するブロック図である。利用者装置１００は放送番組ＩＤ検出アプリ１４０を用いて放送信号を検出すると該放送信号の番組ＩＤとユーザＩＤをＩＤ変換サーバ４００に送信する（Ｓ２１）、ＩＤ変換サーバ４００はこの番組ＩＤとユーザＩＤを受信し、これらのＩＤから特定される所定のポイントサーバ３００に向けて番組ＩＤとユーザＩＤを転送する（Ｓ２２）、ポイントサーバ３００は関連情報サーバ６００に対して番組ＩＤとユーザＩＤを受信した時刻を送信し、番組の関連情報（特に番組終了時刻）を問合せる（Ｓ２３）。関連情報サーバ６００は問合せに対して番組の関連情報を返す（Ｓ２４）。ポイントサーバ３００は視聴記録として番組の関連情報（特に終了時刻）と番組ＩＤとユーザＩＤを受信した時刻から、既にポイントを付与したかどうかを判定し（Ｓ２５）、未だポイントが付与されていなければポイントを付与して（Ｓ２６）、その旨を利用者装置１００に通知する（Ｓ２７）。
【００４３】
前述の放送信号の検出については、先に述べたように、既に知られているフィンガープリント法または音声透かし法といった方法で検出を行う。フィンガープリント法とは元来ＤＮＡ分子の配列順序を元に個体を同定する方法であるが、ここではある特定の音声（ジングルやコマーシャルの一部）の特徴と特徴の出現順序を記憶しておき、受信した音声の特徴と比較することによって、該特定の音声を受信したかどうかを検出する方法である。これについては、Ｇｒａｃｅｎｏｔｅ社の「ＭｕｓｉｃＩＤ」（登録商標）といった音楽認識技術サービスが広く知られている（非特許文献１）。また、音声透かし法とは、放送事業者がある特定の音声（ジングルやコマーシャルの一部）中に、通常では認識不能なレベルの音声信号（これを音声透かしと称する）を挿入しておき、この音声信号の検出によって該特定の音声を受信したかどうかを検出する方法である。特許文献２から特許文献１１には、音響信号に対して、付加情報（音声透かし）を人間では聴取不能な状態で埋め込むとともに、埋め込まれた情報を抽出するさまざまな技術が呈示されている。例えば、特許文献２では、人間の聴覚において、高い音と低い音を同時に演奏することなく交互に演奏した場合でも、似た音同士（高音部と低音部）が時間的に連なっているように知覚される「音脈分凝の原理」を利用して人間がノイズを感じないように付加情報を埋め込む方法が呈示されている。本実施形態の放送信号の検出においては、これらフィンガープリント法または音声透かし法のいずれかの方法が採用される。
【００４４】
図８は、本実施形態におけるポイント付与方法１の別の形態に係る処理の流れを説明するブロック図である。利用者装置１００は放送番組ＩＤ検出アプリ１４０を用いて放送信号を検出すると該放送信号の番組ＩＤとユーザＩＤ及びこれらを検出した時刻をＩＤ変換サーバ４００に送信する（Ｓ３１）、ＩＤ変換サーバ４００はこの番組ＩＤとユーザＩＤ及び時刻を受信し、これらのＩＤから特定される所定のポイントサーバ３００に向けて番組ＩＤとユーザＩＤ及び時刻を転送する（Ｓ３２）、ポイントサーバ３００は関連情報サーバ６００に対してここで受信した時刻を送信し、番組の関連情報（特に終了時刻）を問合せる（Ｓ３３）。関連情報サーバ６００は問合せに対して番組の関連情報を返す（Ｓ３４）。ポイントサーバ３００は視聴記録として番組の関連情報（特に終了時刻）と番組ＩＤとユーザＩＤを受信した時刻から、既にポイントを付与したかどうかを判定し（Ｓ３５）、未だポイントが付与されていなければポイントを付与して（Ｓ３６）、その旨を利用者装置１００に通知する（Ｓ３７）。
【００４５】
図９は、本実施形態におけるポイント付与方法２に係る処理の流れを説明するブロック図である。利用者装置１００は放送番組ＩＤ検出アプリ１４０を用いて放送信号を検出すると該放送信号の番組ＩＤとユーザＩＤをＩＤ変換サーバ４００に送信する（Ｓ４１）、ＩＤ変換サーバ４００はこの番組ＩＤとユーザＩＤを受信し、これらのＩＤから特定される所定のポイントサーバ３００に向けて番組ＩＤとユーザＩＤを転送する（Ｓ４２）、ポイントサーバ３００は関連情報サーバ６００に対してこれらを受信した時刻を送信し、番組の関連情報を問合せる（Ｓ４３）。関連情報サーバ６００は問合せに対して番組の関連情報を返す（Ｓ４４）。ポイントサーバ３００は視聴記録として番組の関連情報から前回の番組問合せ時と同一の番組を放送中かどうかチェックし（Ｓ４５）、同一の番組を放送中だったらポイントを加算し（Ｓ４６）、既に前回の番組問合せ時に放送していた番組が終了していれば（Ｓ４７）ポイントを付与し（Ｓ４８）、その旨を利用者装置１００に通知する（Ｓ４９）。尚、この付与方法はポイント付与方法４にも流用できる。このときは「番組が終了」する時間ではなく、「一定の期間」が終了した時間をポイント付与のタイミングとすればよい。
【００４６】
図１０は、本実施形態におけるポイント付与方法３に係る処理の流れを説明するブロック図である。利用者装置１００は放送番組ＩＤ検出アプリ１４０を用いて放送信号を検出すると該放送信号の番組ＩＤとユーザＩＤをＩＤ変換サーバ４００に送信する（Ｓ５１）、ＩＤ変換サーバ４００はこの番組ＩＤとユーザＩＤを受信し、これらのＩＤから特定される所定のポイントサーバ３００に向けて番組ＩＤとユーザＩＤを転送する（Ｓ５２）、ポイントサーバ３００は視聴記録としてこの番組ＩＤを受信すると該番組ＩＤに割り当てられているポイントを付与し（Ｓ５３）、その旨を利用者装置１００に通知する（Ｓ５４）。
【００４７】
次に、本発明の実施形態例について紹介する。ここでは番組再生アプリ１２０として、ＩＰサイマル事業者２４０からのサイマル放送を再生するＩＰサイマル再生アプリ（音声信号による）を挙げて説明するが、この番組再生アプリに限定されることなく、先に述べたように、テレビ局、ラジオ局からの電波経由の放送の再生やＯＴＴ／Ｖｏｄ事業者２３０が配信する番組の再生など様々な放送形態の再生アプリについても同様の実施形態が可能であることは言うまでもない。また、本発明の実施形態の一つとして、外部の受信機２５０によって再生された音声や、インターネットに接続できるテレビ２７０およびＰＣ２６０が受信したＯＴＴ／Ｖｏｄ事業者２３０またはＩＰサイマル事業者２４０からの放送番組の音声を利用者装置１００のマイクロフォンから集音するといった番組再生アプリ１２０を必要としない形態も可能である。
【００４８】
図１１は、本実施形態の一つの例における利用者装置とアプリケーションの動作の流れを説明する図である。視聴者は利用者装置１００やインターネットに接続できるテレビ２７０またはＰＣ２６０などの装置を操作して番組再生アプリ１２０（この例ではＩＰサイマル再生アプリ。以降、番組再生アプリ１２０をＩＰサイマル再生アプリ１２０と言い換える）を起動し、ＩＰサイマル事業者２４０からネットワーク８００を介してサイマル放送のデジタルデータを取得して再生する。この再生された音声は、利用者装置１００などの装置のスピーカー１１１より表出され、利用者装置１００自身の持つマイクロフォン１１２により集音されて、放送番組ＩＤ検出アプリ１４０に渡され、放送信号が抽出され番組ＩＤが特定される。この実施形態では、利用者装置１００は例えばスマートフォンが代表的な装置であるが、ＩＰサイマル再生アプリ１２０および放送番組ＩＤ検出アプリ１４０が作動できる装置であれば、インターネットに接続できるテレビ（ＰＣの機能が内蔵されたいわゆるスマートテレビ）２７０またはＰＣ２６０などであっても構わない。以降、これらの装置を含めて「利用者装置１００など」と称する。
【００４９】
ＩＰサイマル再生アプリ１２０は、既に図２のところで説明したように、利用者装置１００などの装置に備えられたハードウェア資源を制御する、機能ごとにまとまったプログラムコードの集りであって、３つの機能を発揮するプログラムコードの集りである３つの手段から構成される。
【００５０】
先ず、番組受信手段１２１は、ＩＰサイマル事業者２４０の番組配信サーバへＩＰサイマル放送番組のデジタルデータを要求して、所定の決められたストリーミングプロトコルを使い、通信することにより、ＩＰサイマル放送番組のデジタルデータを利用者装置１００などの装置にストリーミングデータとして受信する機能を発揮する。
【００５１】
次に、メモリ保存手段１２２は、利用者装置１００などのＯＳに標準装備されているＲＡＭにアクセスし、番組再生アプリで使用するＲＡＭ領域を管理するライブラリを使用し、ＡＰＩ経由で、配信された前記ストリーミングデータをＲＡＭ１３０に蓄積する機能を発揮する。
【００５２】
最後に、番組再生手段１２３は、利用者装置１００などに標準装備されているメモリデバイスを管理するライブラリを使用し、ＡＰＩを用いてＲＡＭ１３０にアクセスし、ＲＡＭ１３０に保存されている放送番組のデジタルデータを取得し、更に取得したデジタルデータをアナログの音声信号に変換して、スピーカーデバイスを管理するライブラリを使用し、ＡＰＩを用いてスピーカー１１１にアクセスして、スピーカーのドライバに該アナログの音声信号送出することにより音声信号の再生を行う機能を発揮する。
【００５３】
図１２は、本実施形態の一つの例における利用者装置とＩＰサイマル再生アプリ１２０の処理の流れを説明するブロック図である。これを用いて更に詳しく説明する。視聴者は利用者装置１００などを操作してＩＰサイマル番組再生アプリ１２０を起動する。ＩＰサイマル再生アプリ１２０は番組受信手段１２１を起動し、ＩＰサイマル事業者２４０の番組配信サーバとの間でインターネットなどのネットワークを介し、ＩＰサイマル放送番組のデジタルデータを要求する（Ｓ６０）。ＩＰサイマル放送番組のデジタルデータはデータ量が巨大なことが多いため、所定の決められたストリーミングプロトコルを使って通信することにより、ストリーミングデータとして利用者装置１００などに配信される（Ｓ６１）。
【００５４】
ＩＰサイマル再生アプリ１２０は、メモリ保存手段１２２を起動して、配信された前記ストリーミングデータをＲＡＭ１３０に蓄積する（Ｓ６２）。ここで保存される放送番組のデジタルデータは一時的に保存されるだけである。ＩＰサイマル再生アプリ１２０は、番組再生手段１２３を起動して、ＲＡＭ１３０にアクセスし、一時的に保存されているストリーミングデータを取得する（Ｓ６３）。番組再生手段１２３はさらに取得したストリーミングデータを、ＯＳ標準のライブラリを用いて、電圧信号に変換してスピーカーデイバスへ出力を指示する（Ｓ６４）、利用者装置１００などのスピーカー１１１はストリーミングデータ（該アナログの音声信号）の再生を行う（Ｓ６５）。
【００５５】
図１３は、本実施形態の一つの例における利用者装置と放送番組ＩＤ検出アプリ１４０の処理の流れを説明するブロック図である。先ず、放送番組ＩＤ検出アプリ１４０はデバイスアクセス手段１４２のうちのマイクデバイスアクセス手段１４２ａを用いて、利用者装置１００などのＯＳ（またはプラットフォーム）に標準装備されているマイクロフォンデバイスを管理するライブラリをＡＰＩ経由で使用し、マイクロフォンデバイスにアクセスし、音声信号の取得を要求する（Ｓ６６）。第１の放送信号検出手段１４３ａは、利用者装置１００などのマイクロフォンから集音した音声のアナログ信号を取得する（Ｓ６７）。更に第１の放送信号検出手段１４３ａは、この音声のアナログ信号を例えばモノラルＰＣＭ（パルス符号変調）形式でデジタルデータ化して、先に説明した音声透かし法などの方法を用いて、デジタルデータ化した音声から放送信号と番組ＩＤを検出する（Ｓ６８）。
【００５６】
第１の放送信号検出手段１４３ａは番組ＩＤを検出したら、ＩＤ変換サーバ問合せ手段１４４に処理を渡す。ＩＤ変換サーバ問合せ手段１４４は、番組ＩＤと利用者装置１００などを使用している視聴者のユーザＩＤとを併せて通信手段１４１を介してＩＤ変換サーバ４００に送信する（Ｓ６９）。ＩＤ変換サーバ４００は受信した番組ＩＤとユーザＩＤに係るポイントサーバを特定するとともに、リダイレクト処理を行う（Ｓ７０）。これらのＳ６６からＳ７０に亘る放送番組ＩＤ検出アプリ１４０の処理は、マイクロフォン１１２による集音が続けられている間、繰り返し実行されてもよい。
【００５７】
図１４は、本実施形態のもう一つの例における利用者装置とアプリケーションの動作の流れを説明する図である。視聴者は利用者装置１００などを操作してＩＰサイマル再生アプリ１２０を起動し、ＩＰサイマル事業者２４０からネットワーク８００を介してサイマル放送のデジタルデータを取得して再生する。再生された音声は、利用者装置１００などのスピーカー１１１より表出される。この再生されるサイマル放送のデジタルデータは利用者装置１００などのＲＡＭ１３０に保存される。放送番組ＩＤ検出アプリ１４０は、ＲＡＭ１３０に保存されたサイマル放送のデジタルデータから放送信号を抽出し番組ＩＤを特定する。先の本実施形態の例では、利用者装置１００などのマイクロフォン１１２から音声のアナログ信号を取得したが、この実施形態では放送番組ＩＤ検出アプリ１４０が放送用のデジタルデータを直接扱うところが相違する。この実施形態では、ＩＰサイマル再生アプリ１２０と放送番組ＩＤ検出アプリ１４０はメモリの共用上一つのアプリケーションとして動作するのが好ましく、この説明もそれに従う。
【００５８】
図１５は、本実施形態のもう一つの例における利用者装置とＩＰサイマル再生アプリ１２０および放送番組ＩＤ検出アプリ１４０の処理の流れを説明するブロック図である。先の実施形態で述べたように、視聴者は利用者装置１００などを操作して番組受信手段１２１を起動して、ＩＰサイマル事業者２４０の番組配信サーバからＩＰサイマル放送番組のデジタルデータを取得する（Ｓ７１）。
【００５９】
先の実施形態で述べたように、ＩＰサイマル放送番組のデジタルデータはストリーミングデータとして利用者装置１００などに配信される（Ｓ７２）。ＩＰサイマル再生アプリ１２０および放送番組ＩＤ検出アプリ１４０は、メモリ保存手段１２２を用いて利用者装置１００などのＯＳ（またはプラットフォーム）配下のＲＡＭ１３０にストリーミングデータを保存する（Ｓ７３）。ＩＰサイマル再生アプリ１２０および放送番組ＩＤ検出アプリ１４０の番組再生手段１２３はさらに取得したストリーミングデータを取得して（Ｓ７４）、ＯＳ標準のライブラリを用いて、電圧信号に変換してスピーカーデイバスへ出力を指示する（Ｓ７５）、利用者装置１００などのスピーカー１１１はストリーミングデータ（該アナログの音声信号）の再生を行う（Ｓ７６）。
【００６０】
ＩＰサイマル再生アプリ１２０および放送番組ＩＤ検出アプリ１４０はデバイスアクセス手段１４２のうちのメモリデバイスアクセス手段１４２ｂを用いて、利用者装置１００などのＲＡＭ１３０にアクセスする（Ｓ７７）。第２の放送信号検出手段１４３ｂは、利用者装置１００などのＲＡＭ１３０から放送番組のデジタルデータを取得し、このデータから例えば先に説明した音声透かし法を用いて、放送信号と番組ＩＤを検出する（Ｓ７８）。
【００６１】
第２の放送信号検出手段１４３ｂは番組ＩＤを検出したら、ＩＤ変換サーバ問合せ手段１４４に処理を渡す。ＩＤ変換サーバ問合せ手段１４４は、番組ＩＤと利用者装置１００などを使用している視聴者のユーザＩＤとを併せて通信手段１４１を介してＩＤ変換サーバ４００に送信する（Ｓ７９）。ＩＤ変換サーバ４００は受信した番組ＩＤとユーザＩＤに係るポイントサーバを特定するとともに、リダイレクト処理を行う（Ｓ８０）。
【００６２】
図１６は、本実施形態のもう一つの例における利用者装置ともう一つのアプリケーションの処理の流れを説明するブロック図である。先の実施形態で述べたように、視聴者は利用者装置１００などを操作して、ＩＰサイマル事業者２４０の番組配信サーバからＩＰサイマル放送番組のデジタルデータを取得し、ＩＰサイマル放送番組のデジタルデータをストリームデータとして利用者装置１００などのＯＳ（またはプラットフォーム）配下のＲＡＭ１３０に保存する。また、同時に番組再生手段１２３を用いて放送番組のデジタルデータの再生を行う（Ｓ８１からＳ８６）。ここまでは先の実施形態と同じである。
【００６３】
ここで、ＩＰサイマル再生アプリ１２０および放送番組ＩＤ検出アプリ１４０はデバイスアクセス手段１４２のうちのメモリデバイスアクセス手段１４２ｂを用いて、利用者装置１００などのＲＡＭ１３０にアクセスする（Ｓ８７）とともにメモリコピー処理を行い（Ｓ８８）、ＲＡＭ１３０のコピーを行う（Ｓ８９）。こうすることによって、ＩＰサイマル再生アプリ１２０および放送番組ＩＤ検出アプリ１４０は、コピーされたメモリの内容を占有することによって、処理時間的に余裕を持って第２の放送信号検出手段１４３ｂを作動することができる。第２の放送信号検出手段１４３ｂはこのデータから例えば先に説明した音声透かし法を用いて、放送信号と番組ＩＤを検出する（Ｓ９０）。
【００６４】
第２の放送信号検出手段１４３ｂは番組ＩＤを検出したら、ＩＤ変換サーバ問合せ手段１４４に処理を渡す。ＩＤ変換サーバ問合せ手段１４４は、番組ＩＤと利用者装置１００などを使用している視聴者のユーザＩＤとを併せて通信手段１４１を介してＩＤ変換サーバ４００に送信する（Ｓ９１）。ＩＤ変換サーバ４００は受信した番組ＩＤとユーザＩＤに係るポイントサーバを特定するとともに、リダイレクト処理を行う（Ｓ９２）。
【００６５】
本実施形態によれば、視聴者は利用者装置１００などを使用して放送番組を受信し、放送番組のデジタルデータまたは音声データから、放送信号をフィンガープリント法または音声透かし法といった方法で検出する。この検出された放送信号を元に、視聴者は番組を視聴した結果として、視聴者にポイントの付与や特典の提供が行われる。
【００６６】
本発明は、上述のサイマル放送を再生する実施形態に限定されることなく、テレビ局、ラジオ局からの電波経由の放送の再生やＯＴＴ／ＶｏＤ事業者２３０が配信する番組の再生、外部の受信機２５０および、インターネットに接続できるテレビ２７０やＰＣ２６０からの音声の集音など様々な再生の態様についても同様の実施形態が可能である。また、利用者装置としてタブレット型のパソコンやノートブック型のパソコン等の端末であっても同様に本発明を実施することが可能である。
【符号の説明】
【００６７】
１００  利用者装置
１２０  番組再生アプリ
１３０  ＲＡＭ
１４０  放送番組ＩＤ検出アプリ
２００  電波塔
２１０  テレビ局
２２０  ラジオ局
２３０  ＯＴＴ／ＶｏＤ事業者
２４０  ＩＰサイマル事業者
２５０  受信機
２６０  ＰＣ
２７０  インターネットに接続できるテレビ
３００  ポイントサーバ
４００  ＩＤ変換サーバ
５００  アプリ配信サーバ
６００  関連情報サーバ
８００  ネットワーク
【図１】
2015065545.tif 000003
【図２】
2015065545.tif 000004
【図３】
2015065545.tif 000005
【図４】
2015065545.tif 000006
【図５】
2015065545.tif 000007
【図６】
2015065545.tif 000008
【図７】
2015065545.tif 000009
【図８】
2015065545.tif 000010
【図９】
2015065545.tif 000011
【図１０】
2015065545.tif 000012
【図１１】
2015065545.tif 000013
【図１２】
2015065545.tif 000014
【図１３】
2015065545.tif 000015
【図１４】
2015065545.tif 000016
【図１５】
2015065545.tif 000017
【図１６】
2015065545.tif 000018